(57)【要約】      （修正有）【課題】無線通信モジュールを用いて省電力状態から通常状態に復帰する電子機器において、特別なパケットやアプリケーション等によらずに、通常状態に復帰することができるようにする。【解決手段】電子機器（画像形成装置１０）は、電子機器が有する所定の機能を実行可能な第１の電力状態と、前記第１の電力状態より消費電力が少ない第２の電力状態との間で状態を遷移する。電子機器が第２の電力状態である場合に、近距離無線通信で所定の通知信号を送信し、前記所定の通知信号を受信した外部機器から近距離無線通信の接続要求信号を受信した場合に、復帰要求信号を出力する無線通信部（無線モジュール１００）と、無線通信部から復帰要求信号が出力された場合、第２の電力状態から前記第１の電力状態に遷移し、前記所定の機能を制御する制御部（コントローラ１１０）と、を有する。【選択図】図５
2018019328.tif 000002
【特許請求の範囲】
【請求項１】
電子機器が有する所定の機能を実行可能な第１の電力状態と、前記第１の電力状態より消費電力が少ない第２の電力状態との間で状態を遷移する前記電子機器であって、
前記電子機器が前記第２の電力状態である場合に、近距離無線通信で所定の通知信号を送信し、前記所定の通知信号を受信した外部機器から前記近距離無線通信の接続要求信号を受信した場合に、復帰要求信号を出力する無線通信部と、
前記無線通信部から前記復帰要求信号が出力された場合、前記第２の電力状態から前記第１の電力状態に遷移し、前記所定の機能を制御する制御部と、
を有する電子機器。
【請求項２】
前記近距離無線通信は、ＢＬＥ通信であり、
前記通知信号は、前記ＢＬＥ通信のアドバタイズメントパケットである請求項１に記載の電子機器。
【請求項３】
前記無線通信部は、
前記外部機器を識別する識別情報である第１の識別情報を予め記憶した第１の記憶部を有し、
前記外部機器から受信した前記接続要求信号に、前記第１の記憶部に記憶した前記第１の識別情報が含まれる場合、前記復帰要求信号を出力する請求項１又は２に記載の電子機器。
【請求項４】
前記無線通信部は、
前記電子機器を識別する識別情報である第２の識別情報を予め記憶した第２の記憶部を含み、
前記第２の記憶部に記憶した前記第２の識別情報を含む前記通知信号を送信する請求項１乃至３のいずれか一項に記載の電子機器。
【請求項５】
前記無線通信部は、
前記第２の識別情報の一部を含む前記通知信号を送信し、
前記外部機器から追加情報を要求する要求信号を受信した場合、前記第２の識別情報の残りの部分を含む前記追加情報を、前記外部機器に送信する請求項４に記載の電子機器。
【請求項６】
前記所定の機能は画像形成機能であって、
前記電子機器は、
画像形成機能を実行する本体と、利用者の操作を受付ける操作部とを含む画像形成装置である請求項１乃至５のいずれか一項に記載の電子機器。
【請求項７】
前記制御部は、前記本体に含まれることを特徴とする請求項６に記載の電子機器。
【請求項８】
前記制御部は、前記操作部であることを特徴とする請求項６に記載の電子機器。
【請求項９】
電子機器が有する所定の機能を実行可能な第１の電力状態と、前記第１の電力状態より消費電力が少ない第２の電力状態との間で状態を遷移する前記電子機器に接続される無線通信装置であって、
前記電子機器が前記第２の電力状態である場合に、近距離無線通信で所定の通知信号を送信する通知信号送信部と、
前記所定の通知信号を受信した外部機器から前記近距離無線通信の接続要求信号を受信する接続要求信号受信部と、
前記接続要求信号受信部が所定の接続要求信号を受信した場合、前記電子機器に、前記第１の電力状態への復帰を要求する復帰要求信号を出力する復帰要求信号出力部と、
を有する無線通信装置。
【請求項１０】
電子機器が有する所定の機能を実行可能な第１の電力状態と、前記第１の電力状態より消費電力が少ない第２の電力状態との間で状態を遷移する前記電子機器による電力状態の制御方法であって、
前記電子機器が、
前記電子機器が前記第２の電力状態である場合に、近距離無線通信で所定の通知信号を送信するステップと、
前記所定の通知信号を受信した外部機器から前記近距離無線通信の接続要求信号を受信した場合に、復帰要求信号を出力するステップと、
前記復帰要求信号が出力された場合、前記第２の電力状態から前記第１の電力状態に遷移するステップと、
を含む電力状態の制御方法。
【発明の詳細な説明】
【技術分野】
【０００１】
本発明は、電子機器、無線通信装置、及び電力状態の制御方法に関する。
【背景技術】
【０００２】
無線通信モジュールとして、Ｂｌｕｅｔｏｏｔｈ（登録商標） Ｌｏｗ Ｅｎｅｒｇｙ（以下、ＢＬＥと呼ぶ）を搭載した画像形成装置が知られている。
【０００３】
また、無線通信モジュールとして無線ＬＡＮ（Local Area Network）モジュールを搭載した画像形成装置において、外部機器から特定のパケットを受信した場合に、省電力状態から通常状態へ復帰させる技術が知られている（例えば、特許文献１参照）。
【発明の概要】
【発明が解決しようとする課題】
【０００４】
特許文献１に開示された技術では、特別なパケットを利用するために、外部機器に特別なアプリケーションを導入し、特別なパケットの送信タイミングや送信間隔等を制御するため、利用者が簡単には使うことができないという問題がある。
【０００５】
本発明の実施の形態は、上記の問題点に鑑みてなされたものであって、無線通信モジュールを用いて省電力状態から通常状態に復帰する電子機器において、特別なパケットやアプリケーション等によらずに、通常状態に復帰することができるようにする。
【課題を解決するための手段】
【０００６】
上記課題を解決するため、本発明の一実施形態に係る電子機器は、電子機器が有する所定の機能を実行可能な第１の電力状態と、前記第１の電力状態より消費電力が少ない第２の電力状態との間で状態を遷移する前記電子機器であって、前記電子機器が前記第２の電力状態である場合に、近距離無線通信で所定の通知信号を送信し、前記所定の通知信号を受信した外部機器から前記近距離無線通信の接続要求信号を受信した場合に、復帰要求信号を出力する無線通信部と、前記無線通信部から前記復帰要求信号が出力された場合、前記第２の電力状態から前記第１の電力状態に遷移し、前記所定の機能を制御する制御部と、を有する。
【発明の効果】
【０００７】
本発明の一実施形態によれば、無線通信モジュールを用いて省電力状態から通常状態に復帰する電子機器において、特別なパケットやアプリケーション等によらずに、通常状態に復帰することができるようになる。
【図面の簡単な説明】
【０００８】
【図１】一実施形態に係る情報処理システムの構成例を示す図である。
【図２】一実施形態に係る画像形成装置のハードウェア構成の一例を示す図である。
【図３】一実施形態に係る画像形成装置のハードウェア構成の別の一例を示す図である。
【図４】一実施形態に係る無線端末のハードウェア構成例を示す図である。
【図５】一実施形態に係る情報処理システムの機能構成図である。
【図６】第１の実施形態に係る無線モジュールの処理の例を示すフローチャートである。
【図７】第１の実施形態に係る情報処理システムの例を示すシーケンス図である。
【図８】第２の実施形態に係る無線モジュールの処理の例を示すフローチャートである。
【図９】第２の実施形態に係る情報処理システムの処理の例を示すシーケンス図である。
【図１０】第３の実施形態に係る無線モジュールの処理の例を示すフローチャートである。
【図１１】第３の実施形態に係る情報処理システムの処理の例を示すシーケンス図である。
【図１２】第４の実施形態に係る無線モジュールの処理の例を示すフローチャートである。
【図１３】第４の実施形態に係る情報処理システムの処理の例を示すシーケンス図である。
【発明を実施するための形態】
【０００９】
以下に、本発明の実施の形態について、添付の図面を参照して説明する。
【００１０】
＜システムの構成＞
図１は一実施形態に係る情報処理システムの一例を示す図である。情報処理システム１は、画像形成装置１０と、画像形成装置１０と所定の近距離無線通信により通信可能な無線端末２０とを含む。
【００１１】
画像形成装置（電子機器）１０は、例えば、印刷、スキャン、コピー、ファクシミリ等の複数の機能を１つの筐体に収めたＭＦＰ（Multifunction Peripheral/Product）や、プリンタ等の印刷機能を有する電子機器である。
【００１２】
画像形成装置１０は、例えば、Ｂｌｕｅｔｏｏｔｈ（登録商標） Ｌｏｗ Ｅｎｅｒｇｙ（以下、ＢＬＥと呼ぶ）等の近距離無線通信を行う無線モジュール１００を有している。例えば、画像形成装置１０は、ＢＬＥのペリフェラルとして機能し、通信可能範囲４０（例えば、半径５０ｍ以内）にあるＢＬＥのセントラル（例えば無線端末２０）とＢＬＥ通信を行うことができる。
【００１３】
無線端末２０は、利用者３０が利用する、例えば、スマートフォン、タブレット端末、ノートＰＣ（Personal Computer）等の情報端末である。或いは、無線端末２０は、スマートウォッチ等のウェアラブル端末等であっても良い。
【００１４】
無線端末２０は、画像形成装置１０と同じ通信方式、例えば、ＢＬＥ等の近距離通信機能を有している。例えば、無線端末２０は、ＢＬＥのセントラルとして機能し、画像形成装置１０とＢＬＥ通信を行うことができる。
【００１５】
ＢＬＥは、近距離無線通信技術であるＢｌｕｅｔｏｏｔｈの拡張仕様の１つであり、Ｂｌｕｅｔｏｏｔｈ ４．０規格の一部として策定された近距離無線通信技術である。ＢＬＥにより、通常のＢｌｕｅｔｏｏｔｈ通信よりも低消費電力で近距離無線通信を実現することができる。
【００１６】
ＢＬＥでは、アドバタイジング（Advertising）という通信方式をサポートしており、ペリフェラル（例えば画像形成装置１０）は、アドバタイズメントパケットを所定の時間間隔で送信して、自装置の情報を周囲のセントラルに通知することができる。セントラル（例えば無線端末２０）は、ペリフェラルが送信したアドバタイズメントパケットを受信することにより、周囲のペリフェラルの情報を得ることができる。
【００１７】
上記の構成において、画像形成装置１０は、省電力機能を有しており、例えば、予め設定された時間を超えて画像形成装置１０の利用がない場合、画像形成装置１０を、画像形成処理を実行可能な通常状態よりも消費電力が少ない省電力状態へ移行させる。画像形成装置１０は、省電力状態では、例えば、後述する操作部、エンジン部、スキャナ部、ＨＤＤ（Hard Disk Drive）等の機能を停止させることにより、画像形成装置１０の消費電力を低減させることができる。
【００１８】
無線モジュール１００は、画像形成装置１０が正常状態（第１の電力状態）より消費電力が少ない省電力状態（第２の電力状態）である場合、例えば、ＢＬＥ通信のアドバタイズメントパケットを、通信可能範囲４０内に送信する。
【００１９】
また、無線モジュール１００は、アドバタイズメントパケットを受信した無線端末２０から、ＢＬＥ通信の接続を要求する接続要求信号を受信した場合、画像形成装置１０に、通常状態への復帰を要求する復帰要求信号を出力する。
【００２０】
画像形成装置１０は、無線モジュール１００から復帰要求信号（例えば、所定のパターンのハードウェア信号）が出力されると、画像形成装置１０の電力状態を省電力状態（第２の電力状態）から通常状態（第１の電力状態）に遷移させる。
【００２１】
このように、本実施形態によれば、無線モジュール１００を用いて省電力状態から通常状態に復帰する電子機器において、特別なパケットやアプリケーション等によらずに、通常状態に復帰することができる。
【００２２】
なお、図１に示す情報処理システム１の構成は一例である。例えば、画像形成装置１０は、省電力制御を行う他の電子機器、例えば、テレビ会議装置、出退勤管理装置、ＡＴＭ（Automatic teller machine）、又はデジタルサイネージ等の電子機器であっても良い。
【００２３】
＜ハードウェア構成＞
（画像形成装置のハードウェア構成）
図２は、一実施形態に係る画像形成装置のハードウェア構成の一例を示す図である。
【００２４】
画像形成装置１０は、無線モジュール１００、コントローラ１１０、スキャナ部１２０、エンジン部１３０、及びファクスコントロールユニット（以下、ＦＣＵと呼ぶ）１４０等を有する。
【００２５】
無線モジュール１００は、例えば、前述したＢＬＥ通信、及び無線ＬＡＮ等の通信規格に対応した無線通信装置である。なお、無線モジュール１００の構成については後述する。
【００２６】
コントローラ１１０は、ＣＰＵ（Central Processing Unit）１１１、ＲＯＭ（Read Only Memory）１１２、ＮＶＲＡＭ１１３、操作部１１４、ＲＡＭ１１５、ＨＤＤ１１６、及びＡＳＩＣ（Application Specific Integrated Circuit）１１７等を有する。
【００２７】
ＣＰＵ１１１は、ＲＯＭ１１２、ＮＶＲＡＭ１１３、ＨＤＤ１１５等からプログラムやデータ、設定情報等をＲＡＭ１１５上に読み出し、処理を実行することで、画像形成装置１０の全体の制御や機能を実現する演算装置である。
【００２８】
ＲＯＭ１１２は、各種プログラムやデータを格納している不揮発性の記憶装置である。ＮＶＲＡＭ１１３は、例えば設定情報等を格納する書込可能な不揮発性の記憶装置である。
【００２９】
操作部（操作パネル）１１４は、利用者の入力操作を受付する入力部と、表示を行う表示部とを備えている。好ましくは、操作部１１４は、一般的なコンピュータの構成を有している。
【００３０】
ＲＡＭ１１５は、プログラムやデータを一時保持する揮発性の記憶装置である。ＨＤＤ１１６は、各種プログラムやデータを格納している大容量のストレージ装置である。
【００３１】
ＡＳＩＣ１１７は、画像形成装置１０の各種のインタフェースや、画像処理回路等を有し、ＣＰＵ１１１からの指示に応じて、画像形成装置１０の様々な処理を実行する画像処理用の集積回路である。なお、ＡＳＩＣ１１７の構成については後述する。
【００３２】
スキャナ部１２０は、原稿等を読み取る読取装置である。エンジン部１３０は、印刷データを印刷する印刷装置である。ＦＣＵ１４０は、ファクスデータの送受信を行う。
【００３３】
（無線モジュールの構成例）
図２に示すように、無線モジュール１００は、例えば、ＳｏＣ（System on Chip）２３１、検出部２３２、ＲＯＭ２３３、ＲＡＭ２３４、モデム２３５、ＲＦ（Radio Frequency）部２３６、ＭＡＣ（Media Access Control）部２３７、ＢＢ（Baseband）部２３８、ＲＦ部２３９、及びアンテナ１５０を有する。
【００３４】
ＳｏＣ２３１は、一般的なコンピュータの構成を含む集積回路であり、ＢＬＥ通信、及び無線ＬＡＮ通信の無線パケットの処理等を行う。
【００３５】
ＳｏＣ２３１は、例えば、画像形成装置１０が省電力状態であるとき、ＢＬＥ通信のアドバタイズメントパケットの送信と、接続要求の受信を制御する。また、ＳｏＣ２３１は、アドバタイズメントパケットを受信した無線端末２０等から、接続要求を受信したとき、ＣＰＵ１１１を起動する復帰信号を出力する。
【００３６】
検出部２３２は、受信した信号が、ＢＬＥ通信の接続要求であるかを判定する機能を有し、接続要求である場合、ＡＳＩＣ１１７の電力状態制御部２２３に、起動信号を出力する。
【００３７】
ＲＯＭ２３３は、例えば、フラッシュＲＯＭ等の書込可能な不揮発性のメモリで構成されており、無線モジュール１００を制御するプログラム等が記憶されている。
【００３８】
ＲＡＭ２３４は、プログラムのワークエリア等として用いられる揮発性のメモリである。
【００３９】
モデム２３５は、ＢＬＥ通信のプロトコル制御を行う。
【００４０】
ＲＦ部２３６は、ＢＬＥ通信の送信データを無線周波数にアップコンバートし、アンテナ１５０で受信したＢＬＥ通信の受信信号をベースバンド周波数にダウンコンバートする。
【００４１】
ＭＡＣ部２３７は、例えば、ＣＳＭＡ／ＣＡ（Carrier Sense Multiple Access / Collision Avoidance）等、無線ＬＡＮ通信の媒体アクセス制御を行う。
【００４２】
ＢＢ部２３８は、無線ＬＡＮ通信の送信データの変調、及び受信データの復調等を行う。
【００４３】
ＲＦ部２３９は、無線ＬＡＮ通信の送信データを無線周波数にアップコンバートし、アンテナ１５０で受信した無線ＬＡＮ通信の受信信号を、ベースバンド周波数にダウンコンバートする。
【００４４】
（ＡＳＩＣの構成例）
図２に示すように、ＡＳＩＣ１１７は、例えば、ＣＰＵ Ｉ／Ｆ（Interface）２１１、ローカルバスＩ／Ｆ２１２、操作部Ｉ／Ｆ２１３、メモリＩ／Ｆ２１４、ＨＤＤ Ｉ／Ｆ２１５、無線モジュールＩ／Ｆ２１６、入力データ制御部２１７、画像処理部２１８、出力データ制御部２１９、ＦＡＸ Ｉ／Ｆ２２０、ネットワークＩ／Ｆ２２１、ＵＳＢ（Universal Serial Bus）Ｉ／Ｆ２２２、電力状態制御部２２３、及びシステムバス２２４等を有する。
【００４５】
ＣＰＵ Ｉ／Ｆ２１１は、ＣＰＵ１１１との間のデータ転送を制御する。
【００４６】
ローカルバスＩ／Ｆ２１２は、システムバス２２４とローカルバスとの間のデータ転送を制御するインタフェースであり、例えば、ＲＯＭ１１２、ＮＶＲＡＭ１１３にアクセスするための信号を生成する。
【００４７】
操作部Ｉ／Ｆ２１３は、操作部１１４との間のデータ転送を制御する。
【００４８】
メモリＩ／Ｆ２１４は、ＲＡＭ１１５との間のデータ転送を制御するインタフェースであり、例えば、ＤＤＲ−ＳＤＲＡＭ（Double-Data-Rate Synchronous Dynamic RAM）等の制御信号を生成する。
【００４９】
ＨＤＤ Ｉ／Ｆ２１５は、ＲＡＭ１１５のデータをＨＤＤ１１６に書込する制御、及びＨＤＤ１１６のデータをＲＡＭ１１５に読出する制御等を行う。
【００５０】
無線モジュールＩ／Ｆ２１６は、無線モジュール１００との間のデータ転送を制御する。
【００５１】
入力データ制御部２１７は、スキャナ部１２０の制御を行い、スキャナ部１２０から入力される入力データを、メモリＩ／Ｆ２１４を介して、ＲＡＭ１１５に記憶する。
【００５２】
画像処理部２１８は、入力データ制御部２１７が取得した入力画像に、例えば、シェーディング補正、ドット補正、ガンマ補正、色空間変換、変倍処理等の画像処理を施し、メモリＩ／Ｆ２１４を介して、ＲＡＭ１１５に記憶する。
【００５３】
出力データ制御部２１９は、印刷データを、メモリＩ／Ｆ２１４を介して、ＲＡＭ１１５から読出し、エンジン部１３０に出力する。
【００５４】
ＦＡＸ Ｉ／Ｆ２２０は、ＦＣＵ１４０との間のデータ転送を制御する。
【００５５】
ネットワークＩ／Ｆ２２１は、例えば、インターネットやＬＡＮ等のＩＰネットワーク２６０を介して、外部装置と通信を行うためのインタフェースである。
【００５６】
ＵＳＢ Ｉ／Ｆ２２２は、ＵＳＢデバイス２７０との間のデータ転送を制御する。
【００５７】
電力状態制御部２２３は、各モジュール及び各種センサから送信される復帰信号を受信する。復帰信号を送信する際のインタフェースは低消費電力で動作可能なＧＰＩＯ（汎用入出力）が多く使用される。各モジュール及び各種センサが出力ポートを用いて復帰信号を送信し、省エネ制御部は復帰信号を入力ポートで受信する。
また、電力状態制御部２２３は、各モジュール及び各種センサから送信される復帰信号を取りまとめ低消費電力モードから通常モードへ復帰するシーケンス制御を行う。
【００５８】
例えば、電力状態制御部２２３は、無線モジュール１００が、無線モジュールＩ／Ｆ２１６を介して送信する復帰信号を受信すると、画像形成装置１０を省電力状態から通常状態へと復帰させるシーケンスを実行する。一例として、電力状態制御部２２３は、各部への電源の供給を開始させて、メモリＩ／Ｆ２１４のセルフリフレッシュモードを解除してＲＡＭ１１５を起動させ、ＣＰＵ Ｉ／Ｆ２１１でＣＰＵ１１１のスリープモードを解除する。
【００５９】
（別の一例）
図３は、一実施形態に係る画像形成装置のハードウェア構成の別の一例を示す図である。図３に示すように、画像形成装置１０は、コントローラ１１０を含み画像形成処理を実行する本体３１０と、本体３１０に接続され利用者の操作を受付する操作部１１４とによって構成されるものであっても良い。
【００６０】
この場合、無線モジュール１００は、コントローラ１１０に代えて、操作部１１４に接続することも可能である。なお、無線モジュール１００は、本体３１０に含まれるコントローラに接続されるものであっても良い。
【００６１】
なお、図３に示す画像形成装置１０のハードウェア構成の基本的な構成は、図２に示す画像形成装置１０のハードウェア構成と同様なので、ここでは、図２に示すハードウェア構成との相違点を中心に説明を行う。
【００６２】
図３において、操作部１１４は、例えば、電力状態制御部３０１、無線モジュールＩ／Ｆ３０２、ＳｏＣ３０３、及び表示入力部３０４等を有する。
【００６３】
電力状態制御部３０１は、無線モジュール１００から送信される復帰信号を受信する。また、電力状態制御部３０１は、無線モジュール１００が送信する復帰信号を受信すると、操作部１１４を省電力状態から通常状態へと復帰させるシーケンスを実行する。
【００６４】
また、電力状態制御部３０１は、必要に応じて、コントローラ１１０の電力状態制御部２２３に復帰信号を出力し、画像形成装置１０を通常状態へ復帰させる制御を要求することができる。
【００６５】
無線モジュールＩ／Ｆ３０２は、無線モジュール１００との間のデータ転送を制御する。
【００６６】
ＳｏＣ３０３は、一般的なコンピュータの構成を含む集積回路であり、例えば、表示入力部３０４に操作画面を表示させる制御、及び利用者による表示入力部３０４に対する操作を受付ける制御等を実行する。
【００６７】
表示入力部３０４は、例えば、タッチパネルディスプレイ等の表示入力装置である。
【００６８】
（無線端末のハードウェア構成）
図４は、一実施形態に係る無線端末のハードウェア構成例を示す図である。無線端末２０は、例えば、ＣＰＵ４０１、ＲＡＭ４０２、ＲＯＭ４０３、ストレージ装置４０４、ネットワークＩ／Ｆ４０５、近距離無線通信Ｉ／Ｆ４０６、入力装置４０７、表示装置４０８、外部Ｉ／Ｆ４０９、及びバス４１０等を有する。
【００６９】
ＣＰＵ４０１は、ＲＯＭ４０３やストレージ装置４０４等に格納されたプログラムやデータをＲＡＭ４０２上に読み出し、処理を実行することで、無線端末２０の各機能を実現する演算装置である。ＲＡＭ４０２は、ＣＰＵ４０１のワークエリア等として用いられる揮発性のメモリである。ＲＯＭ４０３は、電源を切ってもプログラムやデータを保持することができる不揮発性のメモリである。
【００７０】
ストレージ装置４０４は、例えば、ＨＤＤや、ＳＳＤ（Solid State Drive）等の大容量の記憶装置であり、ＯＳ、アプリケーションプログラム、各種のデータ等を記憶する。ネットワークＩ／Ｆ４０５は、無線端末２０を、例えば、無線ＬＡＮ等のネットワークに接続するための通信インタフェースである。
【００７１】
近距離無線通信Ｉ／Ｆ４０６は、例えば、ＢＬＥ通信等の近距離無線により、画像形成装置１０と通信するためのインタフェースである。
【００７２】
入力装置４０７は、例えば、タッチパネルや、キーボード等の入力デバイスであり、無線端末２０に各操作信号を入力するために用いられる。表示装置４０８はディスプレイ等の表示デバイスであり、無線端末２０による処理結果等を表示する。
【００７３】
なお、入力装置４０７、及び表示装置４０８は、例えば、タッチパネルディスプレイ等の一体型の表示入力装置であっても良い。
【００７４】
外部Ｉ／Ｆ４０９は、外部装置とのインタフェースである。外部装置には、例えば、記録媒体４１１等が含まれる。バス４１０は、上記の各構成要素に接続され、アドレス信号、データ信号、及び各種制御信号等を伝送する。
【００７５】
＜機能構成＞
図５は、一実施形態に係る情報処理システムの機能構成図である。
【００７６】
（画像形成装置の機能構成）
画像形成装置（電子機器）１０は、例えば、無線モジュール（無線通信部）１００、及びコントローラ（制御部）１１０を有する。
【００７７】
無線モジュール１００は、画像形成装置１０が省電力状態である場合に、ＢＬＥ通信５４０（近距離無線通信）で、アドバタイズメントパケット（所定の通知信号）を送信する。また、無線モジュール１００は、アドバタイズメントパケットを受信した無線端末（外部機器）２０から、ＢＬＥ通信の接続を要求する接続要求信号を受信した場合に、コントローラ１１０に復帰要求信号５５０を出力する。
【００７８】
無線モジュール１００は、例えば、通知信号送信部５１１、接続要求信号受信部５１２、追加情報提供部５１３、データ送受信部５１４、復帰要求信号出力部５１５、装置ＩＤ記憶部５１６、及び登録済端末ＩＤ記憶部５１７等を含む。
【００７９】
通知信号送信部５１１は、画像形成装置１０が省電力状態（第２の電力状態）である場合に、ＢＬＥ通信で、自己（画像形成装置１０、又は無線モジュール１００）の存在を無線端末２０に通知する所定の通知信号であるアドバタイズメントパケットを送信する。通知信号送信部５１１は、例えば、図２、３のＳｏＣ２３１、又はＳｏＣ２３１で実行されるプログラム等によって実現される。
【００８０】
接続要求信号受信部５１２は、通知信号送信部５１１が送信したアドバタイズメントパケットを受信した無線端末２０から送信される、ＢＬＥ通信の接続要求信号である接続要求（ＣＯＮＮＥＣＴ＿ＲＥＱ）を受信する。接続要求信号受信部５１２は、例えば、図２、３のＳｏＣ２３１、又はＳｏＣ２３１で実行されるプログラム等によって実現される。
【００８１】
追加情報提供部５１３は、通知信号送信部５１１が送信したアドバタイズメントパケットを受信した無線端末２０から送信される、ＢＬＥ通信の追加情報を要求する要求信号であるスキャン要求（ＳＣＡＮ＿ＲＥＱ）を受信する。また、追加情報提供部５１３は、スキャン要求の要求元に、ＢＬＥ通信の追加情報（例えば、アドバタイズメントパケットに収まらなかった情報要素等）を含むスキャン応答（ＳＣＡＢ＿ＲＳＰ）を送信する。追加情報提供部５１３は、例えば、図２、３のＳｏＣ２３１、又はＳｏＣ２３１で実行されるプログラム等によって実現される。
【００８２】
データ送受信部５１４は、コントローラ１１０の通信制御部５２２の制御に従って、無線端末２０との間でＢＬＥ通信のコネクションを確立し、データの送受信を行う。データ送受信部５１４は、例えば、図２、３のＳｏＣ２３１、又はＳｏＣ２３１で実行されるプログラム等によって実現される。
【００８３】
復帰要求信号出力部５１５は、接続要求信号受信部５１２が、無線端末２０から所定の接続要求（ＣＯＮＮＥＣＴ＿ＲＥＱ）を受信した場合、コントローラ１１０に通常状態への復帰を要求する復帰要求信号を出力する。復帰要求信号出力部５１５は、例えば、図２の無線モジュール１００に含まれる検出部２３２によって実現される。或いは、復帰要求信号出力部５１５は、ＳｏＣ２３１で実行されるプログラムによって実現されるものであっても良い。
【００８４】
好ましくは、復帰要求信号出力部５１５は、無線端末２０から接続要求を受信し、かつ接続要求に、登録済端末ＩＤ記憶部５１７に予め記憶された端末ＩＤが含まれている場合、コントローラ１１０に通常状態への復帰を要求する復帰要求信号を出力する。
【００８５】
装置ＩＤ記憶部（第２の記憶部）５１６は、画像形成装置１０を識別する識別情報である装置ＩＤ（第２の識別情報）を予め記憶した記憶手段であり、例えば、図２に示す無線モジュール１００に含まれるＲＯＭ２３３、及びＳｏＣ２３１で実行されるプログラム等によって実現される。
【００８６】
登録済端末ＩＤ記憶部（第１の記憶部）５１７は、予め登録された、無線端末２０を識別するための識別情報である端末ＩＤ（第１の識別情報）を記憶する記憶手段である。登録済端末ＩＤ記憶部５１７は、例えば、図２に示す無線モジュール１００に含まれるＲＯＭ２３３、及びＳｏＣ２３１で実行されるプログラム等によって実現される。
【００８７】
コントローラ（制御部）１１０は、省電力状態であるときに、無線モジュール１００から出力される復帰要求信号を受付けると、省電力状態から通常状態に遷移して、画像形成装置１０の画像形成機能を制御する。コントローラ１１０は、図１０に示すコントローラ１１０に含まれるハードウェア、及びＣＰＵ１１１で実行されるプログラム等によって実現される。
【００８８】
コントローラ１１０は、例えば、状態制御部５２１、通信制御部５２２、表示制御部５２３、操作受付部５２４、及び画像形成制御部等を含む。
【００８９】
状態制御部５２１は、画像形成装置１０が画像形成機能の実行可能な電力状態である通常状態（第１の電力状態）と、通常状態より消費電力が少ない電力状態である省電力状態（第２の電力状態）との間の遷移を制御する。状態制御部５２１は、例えば、図２、３に示す電力状態制御部２２３、図３に示す電力状態制御部３０１、又はＣＰＵ１１１で実行されるプログラム等によって実現される。
【００９０】
なお、省電力状態には、複数の省電力状態（例えば、スリープ状態、ディープスリープ状態等）が含まれていても良い。
【００９１】
状態制御部５２１は、画像形成装置１０が、いずれかの省電力状態である場合に、無線モジュール１００から出力される復帰要求信号を受付けると、画像形成装置１０を通常状態に遷移させる。
【００９２】
通信制御部５２２は、無線モジュール１００を用いて、ＢＬＥ通信のコネクションを確立して、データの送受信を行う通信制御を行う手段であり、例えば、ＣＰＵ１１１で実行されるプログラム等によって実現される。
【００９３】
表示制御部５２３は、例えば、画像形成装置１０の操作画面等を、操作部１１４に表示させる手段であり、例えば、ＣＰＵ１１１で実行されるプログラム等によって実現される。
【００９４】
操作受付部５２４は、例えば、画像形成装置１０の操作部１１４に対する利用者の入力操作等を受付する手段であり、例えば、ＣＰＵ１１１で実行されるプログラム等によって実現される。
【００９５】
画像形成制御部５２５は、例えば、図２のスキャナ部１２０、入力データ制御部２１７、画像処理部２１８，出力データ制御部２１９、エンジン部１３０、ＦＡＸ Ｉ／Ｆ２２０、ＦＣＵ１４０等を制御して、画像形成処理を実行させる。画像形成制御部５２５は、例えば、ＣＰＵ１１１で実行されるプログラム等によって実現される。
【００９６】
（無線端末の機能構成）
無線端末（外部機器）２０は、通知信号受信部５３１、接続要求信号送信部５３２、追加情報取得部５３３、データ送受信部５３４、通信制御部５３５、登録済装置ＩＤ記憶部５３６、及び表示入力制御部５３７等を有する。
【００９７】
通知信号受信部５３１は、図４の近距離無線通信Ｉ／Ｆを用いて、画像形成装置１０から送信される、ＢＬＥ通信のアドバタイズメントパケット等、所定の通知信号を受信する。通知信号受信部５３１は、例えば、図４の近距離無線通信Ｉ／Ｆ、及び図４のＣＰＵ４０１で実行されるプログラム等によって実現される。
【００９８】
接続要求信号送信部５３２は、図４の近距離無線通信Ｉ／Ｆを用いて、アドバタイズメントパケット等の所定の通知信号を送信した画像形成装置１０に、ＢＬＥ通信の接続を要求する接続要求（ＣＯＮＮＥＣＴ＿ＲＥＱ）を送信する。接続要求信号送信部５３２は、例えば、図４の近距離無線通信Ｉ／Ｆ、及び図４のＣＰＵ４０１で実行されるプログラム等によって実現される。
【００９９】
好ましくは、接続要求信号送信部５３２は、通知信号受信部５３１が受信したアドバタイズメントパケット等の通知信号に、登録済装置ＩＤ記憶部５３６に予め記憶された装置ＩＤが含まれている場合に、画像形成装置１０に接続要求信号を送信する。
【０１００】
追加情報取得部５３３は、図４の近距離無線通信Ｉ／Ｆを用いて、アドバタイズメントパケット等の所定の通知信号を送信した画像形成装置１０に、追加情報を要求するスキャン要求（ＳＣＡＮ＿ＲＥＱ）を送信する。例えば、追加情報取得部５３３は、受信したアドバタイズメントパケットに、画像形成装置１０の装置ＩＤの一部が含まれている場合、画像形成装置１０にスキャン要求（ＳＣＡＮ＿ＲＥＱ）を送信する。追加情報取得部５３３は、例えば、図４の近距離無線通信Ｉ／Ｆ、及び図４のＣＰＵ４０１で実行されるプログラム等によって実現される。
【０１０１】
データ送受信部５３４は、図４の近距離無線通信Ｉ／Ｆを用いて、データパケットの送受信を行う。データ送受信部５３４は、例えば、近距離無線通信Ｉ／Ｆ、及び図４のＣＰＵ４０１で実行されるプログラム等によって実現される。
【０１０２】
通信制御部５３５は、図４の近距離無線通信Ｉ／Ｆを用いて、画像形成装置１０と、ＢＬＥ通信等の近距離無線通信におけるコネクションの確立、切断等の通信制御を行う。通信制御部５３５は、例えば、図４のＣＰＵ４０１で実行されるプログラムによって実現される。
【０１０３】
登録済装置ＩＤ記憶部５３６は、予め登録された画像形成装置１０の装置ＩＤを記憶する手段であり、例えば、図４のストレージ装置４０４、及び図４のＣＰＵ４０１で実行されるプログラム等によって実現される。
【０１０４】
表示入力制御部５３７は、無線端末２０の表示装置４０８に操作画面等を表示させると共に、入力装置４０７への入力操作を受付ける手段であり、例えば、図４のＣＰＵ４０１で実行されるプログラム等によって実現される。
【０１０５】
＜処理の流れ＞
続いて、本実施形態に係る情報処理システム１、及び画像形成装置１０による電力状態の制御方法の流れについて説明する。
【０１０６】
［第１の実施形態］
（無線モジュールの処理）
図１は、第１の実施形態に係る無線モジュールの処理の例を示すフローチャートである。この処理は、画像形成装置１０が省電力状態である場合に、無線モジュール１００が実行する処理の一例を示している。
【０１０７】
ステップＳ６０１において、無線モジュール１００の通知信号送信部５１１は、画像形成装置１０が省電力状態である場合、ＢＬＥ通信のアドバタイズメントパケット（通知信号）を送信する。
【０１０８】
ステップＳ６０２において、無線モジュール１００の接続要求信号受信部５１２は、通知信号送信部５１１がアドバタイズメントパケット送信した後、所定の時間内に無線端末２０から接続要求（接続要求信号）を受信したかを判断する。
【０１０９】
所定の時間内に無線端末２０から接続要求を受信しなかった場合、無線モジュール１００は、処理をステップＳ６０１に戻して、再度アドバタイズメントパケットを送信する。
【０１１０】
一方、所定の時間内に無線端末２０から接続要求を受信した場合、無線モジュール１００は、処理をステップＳ６０３に移行させる。
【０１１１】
ステップＳ６０３に移行すると、無線モジュール１００の復帰要求信号出力部５１５は、コントローラ１１０に復帰要求信号を出力する。復帰要求信号の一例として、復帰要求信号出力部５１５は、コントローラ１１０を省電力状態から復帰させるための信号（割込信号等）をアサートする。
【０１１２】
ステップＳ６０４において、無線モジュール１００のデータ送受信部５１４は、コントローラ１１０からの制御により、ＢＬＥ通信のコネクションを確立する。これにより、画像形成装置１０と、無線端末２０との間で、ＢＬＥ通信のデータパケットの送受信が行えるようになる。
【０１１３】
（情報処理システムの処理）
図７は、第１の実施形態に係る情報処理システムの処理の例を示すシーケンス図である。
【０１１４】
ステップＳ７０１において、画像形成装置１０は、省電力状態であるものとする。
【０１１５】
なお、省電力状態では、コントローラ１１０は、例えば、スキャナ部１２０、エンジン部１３０、ＦＣＵ１４０、ＨＤＤ１１６等への電力の供給を停止させ、ＣＰＵ１１１で必要な処理（例えば、復帰要求信号の受付等）のみを実行しているものとする。
【０１１６】
一方、無線モジュール１００は、省電力状態でも電力が供給され、ＢＬＥ通信によるアドバタイズメントパケットの送信や、接続要求信号の受信等が可能であるものとする。
【０１１７】
ステップＳ７０２において、画像形成装置１０の無線モジュール１００は、画像形成装置１０が省電力状態である場合、アドバタイズメントパケットを、例えば、所定の時間間隔で送信する。
【０１１８】
ステップＳ７０３において、例えば、図１の無線端末２０が、画像形成装置１０の通信可能範囲４０内に入ること等により、アドバタイズメントパケットが、無線端末２０に受信される。
【０１１９】
ステップＳ７０４において、無線端末２０は、通知信号受信部５３１がアドバタイズメントパケットを受信すると、接続要求信号送信部５３２が、アドバタイズメントパケットの送信元である無線モジュール１００に、接続要求を送信する。
【０１２０】
ステップＳ７０５において、無線モジュール１００は、接続要求信号受信部５１２により、無線端末２０から送信された接続要求を受信し、復帰要求信号出力部５１５により、コントローラ１１０に、通常状態への復帰を要求する復帰要求信号を送信する。
【０１２１】
ステップＳ７０６において、コントローラ１１０の状態制御部５２１は、画像形成装置１０（コントローラ１１０）を、省電力状態から通常状態へ遷移させる。例えば、状態制御部５２１は、スキャナ部１２０、エンジン部１３０、ＦＣＵ１４０、ＨＤＤ１１６等への電力の供給を再開し、必要に応じて設定処理を行う。
【０１２２】
ステップＳ７０７、Ｓ７０８において、コントローラ１１０の通信制御部５２２は、無線モジュールのデータ送受信部５１４を制御して、無線端末２０と、ＢＬＥ通信のコネクションを確立する。これにより、画像形成装置１０と無線端末２０との間で、ＢＬＥ通信によるデータパケットの送受信を行うことができるようになる。
【０１２３】
上記の処理により、無線モジュール１００を用いて省電力状態から通常状態に復帰する画像形成装置（電子機器）１０において、特別なパケットやアプリケーション等によらずに、通常状態に復帰することができるようになる。
【０１２４】
［第２の実施形態］
（無線モジュールの処理）
図８は、第２の実施形態に係る無線モジュールの処理の例を示すフローチャートである。なお、図８のステップＳ６０２〜Ｓ６０４の処理は、図６に示す第１の実施形態に係る無線モジュールの処理と同様なので、ここでは、第１の実施形態との相違点を中心に説明を行う。
【０１２５】
ステップＳ８０１において、無線モジュール１００の通知信号送信部５１１は、画像形成装置１０が省電力状態である場合、装置ＩＤ記憶部５１６に予め記憶した画像形成装置１０の装置ＩＤを含むアドバタイズメントパケットを送信する。
【０１２６】
（情報処理システムの処理）
図９は、第２の実施形態に係る情報処理システムの処理の例を示すシーケンス図である。なお、図９のステップＳ７０４〜Ｓ７０８の処理は、図７に示す第１の実施形態に係る処理と同様なので、ここでは第１の実施形態との相違点を中心に説明を行う。
【０１２７】
ステップＳ９０１において、画像形成装置１０は、省電力状態であるものとする。
【０１２８】
ステップＳ９０２において、画像形成装置１０の無線モジュール１００は、画像形成装置１０が省電力状態である場合、画像形成装置１０の装置ＩＤを含むアドバタイズメントパケットを、例えば、所定の時間間隔で送信する。
【０１２９】
なお、本実施形態に係る無線モジュール１００は、装置ＩＤ記憶部５１６に、画像形成装置１０を識別するための識別情報である装置ＩＤを記憶しているものとする。
【０１３０】
ステップＳ９０３において、無線端末２０は、通知信号受信部５３１がアドバタイズメントパケットを受信すると、接続要求信号送信部５３２が、アドバタイズメントパケットに含まれる装置ＩＤと、予め記憶した装置ＩＤとを比較する。
【０１３１】
なお、本実施形態に係る無線端末２０は、登録済装置ＩＤ記憶部５３６に、１つ以上の装置ＩＤが予め登録されているものとする。
【０１３２】
ステップＳ９０４において、無線端末の接続要求信号送信部５３２は、アドバタイズメントパケットに含まれる装置ＩＤが、登録済装置ＩＤ記憶部５３６に予め記憶した装置ＩＤのいずれかと一致した場合、無線モジュール１００に接続要求を送信する。
【０１３３】
なお、無線端末の接続要求信号送信部５３２は、アドバタイズメントパケットに含まれる装置ＩＤが、登録済装置ＩＤ記憶部５３６に予め記憶した装置ＩＤのいずれとも一致しない場合、接続要求の送信を行わない。
【０１３４】
上記の処理により、無線端末２０は、複数の画像形成装置１０から送信される複数のアドバタイズメントパケットを受信した場合でも、登録済の画像形成装置１０に選択的に接続要求を送信することができるようになる。
【０１３５】
［第３の実施形態］
（無線モジュールの処理）
図１０は、第３の実施形態に係る無線モジュールの処理の例を示すフローチャートである。なお、図１０のステップＳ６０２〜Ｓ６０４の処理は、図６に示す第１の実施形態に係る無線モジュールの処理と同様なので、ここでは第１の実施形態との相違点を中心に説明を行う。
【０１３６】
ステップＳ１００１において、無線モジュール１００の通知信号送信部５１１は、画像形成装置１０が省電力状態である場合、画像形成装置１０の装置ＩＤの一部を含む、ＢＬＥ通信のアドバタイズメントパケット（通知信号）を送信する。
【０１３７】
これは、アドバタイズメントパケットで送信可能なデータサイズには制限がある（例えば、３１バイト）ので、装置ＩＤのサイズが大きい場合、アドバタイズメントパケットに収まらない場合があるためである。
【０１３８】
ステップＳ１００２において、無線モジュール１００は、追加情報提供部５１３が、無線端末２０から、追加情報の送信を要求するスキャン要求を受信したかを判断する。
【０１３９】
スキャン要求を受信していない場合、無線モジュール１００は、処理をステップＳ１００１に移行させて、再度アドバタイズメントパケットを送信する。
【０１４０】
一方、スキャン要求を受信した場合、無線モジュール１００は、処理をステップＳ１００３に移行させる。
【０１４１】
ステップＳ１００３に移行すると、無線モジュール１００の追加情報提供部５１３は、画像形成装置１０の装置ＩＤのうち、ステップＳ１００１で送信した装置ＩＤの一部の除いた、装置ＩＤの残りの部分を含むスキャン応答を無線端末２０に送信する。
【０１４２】
なお、別の一例として、スキャン応答パケットに、画像形成装置１０の装置ＩＤが全て収まる場合は、追加情報提供部５１３は、装置ＩＤの全てを含むスキャン応答を無線端末２０に送信するものであっても良い。
【０１４３】
（情報処理システムの処理）
図１１は、第３の実施形態に係る情報処理システムの処理の例を示すシーケンス図である。なお、図１１のステップＳ７０５〜Ｓ７０８の処理は、図７に示す第１の実施形態に係る情報処理システムの処理と同様なので、ここでは、第１の実施形態との相違点を中心に説明を行う。
【０１４４】
ステップＳ１１０１において、画像形成装置１０は、省電力状態であるものとする。
【０１４５】
ステップＳ１１０２において、画像形成装置１０の無線モジュール１００は、画像形成装置１０が省電力状態である場合、画像形成装置１０の装置ＩＤの一部を含むアドバタイズメントパケットを、例えば、所定の時間間隔で送信する。
【０１４６】
なお、本実施形態では、無線モジュール１００が送信するアドバタイズメントパケットは、スキャン可能なアドバタイズメントパケットであることを示す情報が含まれているものとする。
【０１４７】
ステップＳ１１０３において、無線端末２０は、通知信号受信部５３１がアドバタイズメントパケットを受信すると、追加情報取得部５３３は、無線モジュール１００にスキャン要求を送信する。
【０１４８】
ステップＳ１１０４において、無線モジュール１００の追加情報提供部５１３は、スキャン要求を受付すると、画像形成装置１０の装置ＩＤの残りの部分を含むスキャン応答を、無線端末２０に送信する。
【０１４９】
ステップＳ７０４において、無線端末２０の接続要求信号送信部５３２は、ステップＳ１１０２で受信した装置ＩＤの一部と、ステップＳ１１０４で受信した装置ＩＤの残りの部分とを組み合わせて装置ＩＤを特定し、無線モジュール１００に接続要求を送信する。
【０１５０】
上記の処理により、例えば、選択すべき画像形成装置１０の数が多い場合等、装置ＩＤの数が多い場合でも、無線端末２０は、画像形成装置１０を特定することができるようになる。
【０１５１】
［第４の実施形態］
（無線モジュールの処理）
図１２は、第４の実施形態に係る無線モジュールの処理の例を示すフローチャートである。なお、図１２のステップＳ６０１、Ｓ６０２、及びステップＳ６０３、Ｓ６０４の処理は、図６に示す第１の実施形態に係る無線モジュールの処理と同様なので、ここでは、第１の実施形態との相違点を中心に説明を行う。
【０１５２】
なお、本実施形態に係る無線モジュール１００は、登録済端末ＩＤ記憶部５１７に、予め登録された１つ以上の無線端末２０を識別するための識別情報である端末ＩＤが記憶されているものとする。
【０１５３】
ステップＳ１２０１において、無線モジュール１００の復帰要求信号出力部５１５は、接続要求信号受信部５１２が受信した接続要求に、登録済端末ＩＤ記憶部５１７に予め記憶した端末ＩＤが含まれるかを判断する。
【０１５４】
接続要求信号受信部５１２が受信した接続要求に、登録済端末ＩＤ記憶部５１７に予め記憶した端末ＩＤが含まれていない場合、復帰要求信号出力部５１５は、処理を終了させる。
【０１５５】
一方、接続要求信号受信部５１２が受信した接続要求に、登録済端末ＩＤ記憶部５１７に予め記憶した端末ＩＤが含まれている場合、復帰要求信号出力部５１５は、処理をステップＳ６０３に移行させる。
【０１５６】
（情報処理システムの処理）
図１３は、第４の実施形態に係る情報処理システムの処理の例を示すシーケンス図である。なお、図１３のステップＳ７０５〜７０８の処理は、図７に示す第１の実施形態に係る情報処理システムの処理と同様なので、ここでは、第１の実施形態との相違点を中心に説明を行う。
【０１５７】
ステップＳ１３０１において、画像形成装置１０は、省電力状態であるものとする。
【０１５８】
ステップＳ１３０２において、画像形成装置１０の無線モジュール１００は、画像形成装置１０が省電力状態である場合、ＢＬＥ通信のアドバタイズメントパケットを、例えば、所定の時間間隔で送信する。
【０１５９】
ステップＳ１３０３において、無線端末２０は、通知信号受信部５３１がアドバタイズメントパケットを受信すると、接続要求信号送信部５３２は、無線端末２０の端末ＩＤを含む接続要求を、無線モジュール１００に送信する。
【０１６０】
ステップＳ１３０４において、無線モジュール１００の復帰要求信号出力部５１５は、接続要求信号受信部５１２が受信した接続要求に含まれる端末ＩＤと、登録済端末ＩＤ記憶部５１７に予め記憶した端末ＩＤとを比較する。
【０１６１】
ステップＳ１３０５において、無線モジュール１００の復帰要求信号出力部５１５は、接続要求に含まれる端末ＩＤが、登録済端末ＩＤ記憶部５１７に予め記憶した端末ＩＤのいずれかと一致する場合、処理をステップＳ７０５に移行させて、復帰要求信号を出力する。
【０１６２】
一方、接続要求に含まれる端末ＩＤが、登録済端末ＩＤ記憶部５１７に予め記憶した端末ＩＤのいずれとも一致しない場合、復帰要求信号出力部５１５は、処理を終了させる。
【０１６３】
上記の処理により、無線モジュール１００は、予め登録された無線端末２０から接続要求信号を受信したときに、コントローラ１１０に復帰要求信号を出力することができるようになる。
【符号の説明】
【０１６４】
１          情報処理システム
１０        画像形成装置（電子機器）
２０        無線端末（外部機器）
１００      無線モジュール（無線通信部、無線通信装置）
１１０      コントローラ（制御部の一例）
１１４      操作部（制御部の別の一例）
５１６      装置ＩＤ記憶部（第２の記憶部）
５１７      登録済端末ＩＤ記憶部（第１の記憶部）
【先行技術文献】
【特許文献】
【０１６５】
【特許文献１】特開２０１４−０６３４０４号公報
【図１】
2018019328.tif 000003
【図２】
2018019328.tif 000004
【図３】
2018019328.tif 000005
【図４】
2018019328.tif 000006
【図５】
2018019328.tif 000007
【図６】
2018019328.tif 000008
【図７】
2018019328.tif 000009
【図８】
2018019328.tif 000010
【図９】
2018019328.tif 000011
【図１０】
2018019328.tif 000012
【図１１】
2018019328.tif 000013
【図１２】
2018019328.tif 000014
【図１３】
2018019328.tif 000015